【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】
受信信号周波数をベースバンド周波数へ変換するミキサと、
前記ミキサ後段に第１の増幅器および第１のフィルタを備えるベースバンド周波数の信号処理部を備えたダイレクトコンバージョン受信機であって、
前記ベースバンド周波数の信号処理部は、低域通過の第２のフィルタを有する帰還率が可変な負帰還回路を有することを特徴とするダイレクトコンバージョン受信機。
【請求項２】
請求項１に記載のダイレクトコンバージョン受信機において、
前記負帰還回路は、第２の増幅器と、該第２の増幅器の出力部に配置された前記第２のフィルタとから構成されることを特徴とするダイレクトコンバージョン受信機。
【請求項３】
請求項２記載のダイレクトコンバージョン受信機において、
前記第２の増幅器は可変増幅器であることを特徴とするダイレクトコンバージョン受信機。
【請求項４】
請求項２記載のダイレクトコンバージョン受信機において、
前記第２のフィルタはカットオフ周波数が可変の低域通過フィルタであることを特徴とするダイレクトコンバージョン受信機。
【請求項５】
請求項１記載のダイレクトコンバージョン受信機において、
前記第１の増幅器の出力にアナログ信号をデジタル信号に変換するアナログ−デジタル変換器と、
前記アナログ−デジタル変換器の出力信号から直流オフセット電圧を検出し、該直流オフセット電圧を打ち消す電圧を演算するデジタル演算回路と、
該デジタル演算回路の演算結果をデジタル信号からアナログ信号に変換して前記第１の増幅器へ供給するデジタル−アナログ変換器とから構成される直流オフセットキャンセル回路を更に備えることを特徴とするダイレクトコンバージョン受信機。
【請求項６】
請求項２に記載のダイレクトコンバージョン受信機において、
前記第１の増幅器の出力にアナログ信号をデジタル信号に変換するアナログ−デジタル変換器と、
前記アナログ−デジタル変換器の出力信号から直流オフセット電圧を検出し、該直流オフセット電圧を打ち消す電圧を演算するデジタル演算回路と、
該デジタル演算回路の演算結果をデジタル信号からアナログ信号に変換して前記第１の増幅器へ供給するデジタル−アナログ変換器とから構成される直流オフセットキャンセル回路を更に備えることを特徴とするダイレクトコンバージョン受信機。
【請求項７】
請求項３に記載のダイレクトコンバージョン受信機において、
前記第１の増幅器の出力にアナログ信号をデジタル信号に変換するアナログ−デジタル変換器と、
前記アナログ−デジタル変換器の出力信号から直流オフセット電圧を検出し、該直流オフセット電圧を打ち消す電圧を演算するデジタル演算回路と、
該デジタル演算回路の演算結果をデジタル信号からアナログ信号に変換して前記第１の増幅器へ供給するデジタル−アナログ変換器とから構成される直流オフセットキャンセル回路を更に備えることを特徴とするダイレクトコンバージョン受信機。
【請求項８】
請求項４に記載のダイレクトコンバージョン受信機において、
前記第１の増幅器の出力から直流オフセット電圧を検出し、該直流オフセット電圧を打ち消す電圧を演算するデジタル演算回路と、
該デジタル演算回路の演算結果をデジタル信号からアナログ信号に変換して前記第１の増幅器へ供給するデジタル−アナログ変換器とから構成される直流オフセットキャンセル回路を更に備えることを特徴とするダイレクトコンバージョン受信機。
【請求項９】
請求項５に記載のダイレクトコンバージョン受信機において、
前記ダイレクトコンバージョン受信機は、電源入力時に前記直流オフセットキャンセル回路による直流オフセットキャンセルを行い、その後は前記負帰還回路による直流オフセットキャンセルを行うことを特徴とするダイレクトコンバージョン受信機。
【請求項１０】
請求項６に記載のダイレクトコンバージョン受信機において、
前記ダイレクトコンバージョン受信機は、電源入力時に前記直流オフセットキャンセル回路による直流オフセットキャンセルを行い、その後は前記負帰還回路による直流オフセットキャンセルを行うことを特徴とするダイレクトコンバージョン受信機。
【請求項１１】
請求項７に記載のダイレクトコンバージョン受信機において、
前記ダイレクトコンバージョン受信機は、電源入力時に前記直流オフセットキャンセル回路による直流オフセットキャンセルを行い、その後は前記負帰還回路による直流オフセットキャンセルを行うことを特徴とするダイレクトコンバージョン受信機。
【請求項１２】
請求項８に記載のダイレクトコンバージョン受信機において、
前記ダイレクトコンバージョン受信機は、電源入力時に前記直流オフセットキャンセル回路による直流オフセットキャンセルを行い、その後は前記負帰還回路による直流オフセットキャンセルを行うことを特徴とするダイレクトコンバージョン受信機。
【請求項１３】
請求項１に記載のダイレクトコンバージョン受信機において、
前記第１の増幅器は多段構成を有し、初段の増幅器は固定利得増幅器であり、
該固定利得増幅器は直流オフセットキャンセル回路を備え、
該直流オフセットキャンセル回路は、前記第１の増幅器の出力にアナログ信号をデジタル信号に変換するアナログ−デジタル変換器と、
前記アナログ−デジタル変換器の出力信号から直流オフセット電圧を検出し、該直流オフセット電圧を打ち消す電圧を演算するデジタル演算回路と、
該デジタル演算回路の演算結果をデジタル信号からアナログ信号に変換して前記第１の増幅器へ供給するデジタル−アナログ変換器とから構成されることを特徴とするダイレクトコンバージョン受信機。
【請求項１４】
請求項１３に記載のダイレクトコンバージョン受信機において、
前記固定利得増幅器は、前記ダイレクトコンバージョン受信機の電源入力時に前記直流オフセットキャンセル回路による直流オフセットキャンセルを行い、その後は前記負帰還回路による直流オフセットキャンセルを行うことを特徴とするダイレクトコンバージョン受信機。
【請求項１５】
請求項１に記載のダイレクトコンバージョン受信機において、
前記第１の増幅器は多段の可変増幅器と最終段の固定利得増幅器とから構成され、前記負帰還回路は初段の前記可変増幅器の出力に帰還することを特徴とするダイレクトコンバージョン受信機。
【請求項１６】
請求項２に記載のダイレクトコンバージョン受信機において、
前記第１の増幅器は多段の可変増幅器と最終段の固定利得増幅器とから構成され、前記負帰還回路は初段の前記可変増幅器の出力に帰還することを特徴とするダイレクトコンバージョン受信機。
【請求項１７】
請求項３に記載のダイレクトコンバージョン受信機において、
前記第１の増幅器は多段の可変増幅器と最終段の固定利得増幅器とから構成され、前記負帰還回路は初段の前記可変増幅器の出力に帰還することを特徴とするダイレクトコンバージョン受信機。
【請求項１８】
請求項１に記載のダイレクトコンバージョン受信機において、
前記第１の増幅器は、差動対トランジスタの共通電極部に設けられた複数の異なる抵抗が切り替わることによって利得が切り替わる回路構成を有する可変増幅器であることを特徴とするダイレクトコンバージョン受信機。
【請求項１９】
請求項２に記載のダイレクトコンバージョン受信機において、
前記第１の増幅器は、差動対トランジスタの共通電極部に設けられた複数の異なる抵抗が切り替わることによって利得が切り替わる回路構成を有する可変増幅器であることを特徴とするダイレクトコンバージョン受信機。
【請求項２０】
請求項３に記載のダイレクトコンバージョン受信機において、
前記第１の増幅器は、差動対トランジスタの共通電極部に設けられた複数の異なる抵抗が切り替わることによって利得が切り替わる回路構成を有する可変増幅器であることを特徴とするダイレクトコンバージョン受信機。